(57)【要約】【課題】ラインＬＥＤモジュールを用いた場合の長手寸法を調整可能とし且つ長手寸法を調整した場合でも長手方向に連結可能な照明器具を提供する。【解決手段】天井などに取付けられた器具本体１にラインＬＥＤモジュールＭを装着して使用する場合に、器具本体１の長手方向端部に、器具本体１の長手寸法を調整する寸法調整部材２５を取付可能とする。器具本体１の長手方向端部には、寸法調整部材２５による器具本体長手寸法調整分だけ器具本体長手方向に離して差し込み穴１３、１４を形成する。そして、寸法調整部材２５が長手方向端部に取付けられた器具本体１では長手方向外側差し込み穴１３に連結部材３１の脚部３２を差し込み、寸法調整部材が長手方向端部に取付けられていない器具本体１では長手方向内側差し込み穴１４に連結部材３１の脚部３２を差し込むことで、同一の連結部材３１を用いて２つの器具本体１を長手方向に連結する。【選択図】図８
2016219105.tif 000002
【特許請求の範囲】
【請求項１】
被取付位置に取付けられて使用される照明器具であって、
一方向に長手なラインＬＥＤモジュールが装着され、装着された前記ラインＬＥＤモジュールと同方向に長手な器具本体と、
前記器具本体の長手方向端部に取付可能で、前記器具本体の長手方向端部に取付けた状態で規定長さだけ前記器具本体の長手寸法を大きく調整可能な寸法調整部材と、
前記器具本体の長手方向端部にあって前記寸法調整部材による器具本体長手寸法調整分だけ器具本体長手方向に離して器具本体長手方向の二箇所以上に形成された差し込み穴と、
前記器具本体の差し込み穴に差し込み可能な脚部を長手方向両端部の夫々に有し、２つの前記器具本体を長手方向に連結する連結部材と、
を備えたことを特徴とする照明器具。
【請求項２】
前記差し込み穴は、前記器具本体の長手方向端部にあって前記寸法調整部材による器具本体長手寸法調整分だけ器具本体長手方向に離して器具本体長手方向の二箇所以上に形成されたことを特徴とする請求項１に記載の照明器具。
【請求項３】
前記差し込み穴は、器具本体長手方向一箇所あたり２以上形成したことを特徴とする請求項１又は２に記載の照明器具。
【請求項４】
前記器具本体の長手方向端部開口部に個別の端板部材が取付られて閉塞され、
前記寸法調整部材は前記端板部材に取付けられる
ことを特徴とする請求項１乃至３の何れか一項に記載の照明器具。
【請求項５】
前記差し込み穴は、
前記端板部材同士が接触するように長手方向に並べて配置された２つの器具本体の上方に連結部材を配置して前記連結部材の脚部が対向する位置で前記器具本体の長手方向端部上面部に形成された器具本体長手方向一箇所の長手方向内側差し込み穴と、
前記長手方向内側差し込み穴に対して前記寸法調整部材による器具本体長手寸法調整分だけ器具本体長手方向外側寄りの位置で前記器具本体の上面部に形成された器具本体長手方向一箇所以上の長手方向外側差し込み穴と
を備えたことを特徴とする請求項４に記載の照明器具。
【請求項６】
請求項５に記載の照明器具を用いた照明器具施工方法であって、
前記寸法調整部材が長手方向端部に取付けられた器具本体では前記長手方向外側差し込み穴に前記連結部材の脚部を差し込み、
前記寸法調整部材が長手方向端部に取付けられていない器具本体では前記長手方向内側差し込み穴に前記連結部材の脚部を差し込んで
２つの器具本体を長手方向に連結する
ことを特徴とする照明器具施工方法。
【請求項７】
前記寸法調整部材が長手方向端部に取付けられていない器具本体同士を長手方向に連結する場合は、前記長手方向内側差し込み穴に前記連結部材の全ての脚部を差し込んで２つの器具本体を長手方向に連結することを特徴とする請求項６に記載の照明器具施工方法。
【請求項８】
前記寸法調整部材が長手方向端部に取付けられている器具本体同士を長手方向に連結する場合は、前記長手方向外側差し込み穴に前記連結部材の全ての脚部を差し込んで２つの器具本体を長手方向に連結することを特徴とする請求項６に記載の照明器具施工方法。
【発明の詳細な説明】
【技術分野】
【０００１】
本発明は、照明器具及び照明器具施工方法に関し、特に天井位置に取付けられた器具本体に発光モジュールを装着して使用する場合に好適なものである。
【背景技術】
【０００２】
照明に用いる発光源として発光ダイオード（以下、ＬＥＤ（Light Emitting Diode））が注目され、種々のＬＥＤを用いた発光モジュール（以下、ＬＥＤモジュールともいう）が開発されている。室内照明には、直管蛍光灯に代えてライン型のＬＥＤモジュール（以下、ラインＬＥＤモジュールともいう）が開発されている。このようなラインＬＥＤモジュールを用いた照明器具としては、例えば下記特許文献１に記載されるものがある。この特許文献１に記載される照明器具は、天井位置に取付けられた器具本体にラインＬＥＤモジュールを装着して使用されるものである。ラインＬＥＤモジュールは一方向に長手であるから、これを装着する器具本体も一方向に長手である。この照明器具では、下向きの係止片が突設された上に凸状のバネ受けがラインＬＥＤモジュールの上部に取付けられる。また、天井位置に取付けられた器具本体にはバネ部材が取付けられている。そして、ラインＬＥＤモジュールのバネ受けをバネ部材の復元力で上方配置の器具本体側に押圧してラインＬＥＤモジュールを器具本体に装着する。このバネ部材とバネ受けのセットは、器具本体及びラインＬＥＤモジュールの長手方向両端部又は長手方向両端寄りに配置されている。そして、バネ部材のフレーム部にバネ受けの係止片を係止した状態で、そのバネ部材によってラインＬＥＤモジュールを器具本体から吊り下げ、そこからラインＬＥＤモジュールを押し上げるとバネ部材のフレーム部に形成されている押圧部がコイルバネ部の復元力でバネ受けを上方に押圧し、ラインＬＥＤモジュールが器具本体に装着される。ラインＬＥＤモジュールを取り外すときには、そのラインＬＥＤモジュールを手で下方に引き下げ、バネ部材によるバネ受けの押圧を解除した状態でバネ部材とバネ受けとの係合を解除する。
【先行技術文献】
【特許文献】
【０００３】
【特許文献１】特許第５６１９２２８号公報
【発明の概要】
【発明が解決しようとする課題】
【０００４】
ところで、照明器具を天井位置などに施工する場合には、一方向に長手な照明器具を長手方向に連結した状態で施工することがある。更に、施工現場に応じて、長手方向に連結する照明器具の長手寸法を調整したいという要求もある。しかしながら、特許文献１に記載されるようなラインＬＥＤモジュールを用いた照明器具では、照明器具の長手寸法を調整し且つ照明器具を長手方向に連結する具体的な手法が提案されていない。
本発明は、上記のような問題点に着目してなされたものであり、ラインＬＥＤモジュールを用いた場合の長手寸法を調整可能とし且つ長手方向に連結可能な照明器具及び照明器具施工方法の提供を目的とするものである。
【課題を解決するための手段】
【０００５】
上記課題を解決するために、本発明の一態様によれば、被取付位置に取付けられて使用される照明器具であって、一方向に長手なラインＬＥＤモジュールが装着され、装着されたラインＬＥＤモジュールと同方向に長手な器具本体と、器具本体の長手方向端部に取付可能で、器具本体の長手方向端部に取付けた状態で規定長さだけ器具本体の長手寸法を調整可能な寸法調整部材と、器具本体の長手方向端部にあって寸法調整部材による器具本体長手寸法調整分だけ器具本体長手方向に離して形成された差し込み穴と、器具本体の差し込み穴に差し込み可能な脚部を長手方向両端部の夫々に有し、２つの器具本体を長手方向に連結する連結部材と、を備えた照明器具が提供される。
【０００６】
また、本発明の他の態様によれば、本発明の一態様による照明器具を用いた照明器具施工方法であって、寸法調整部材が長手方向端部に取付けられた器具本体では長手方向外側差し込み穴に連結部材の脚部を差し込み、寸法調整部材が長手方向端部に取付けられていない器具本体では長手方向内側差し込み穴に前記連結部材の脚部を差し込んで２つの器具本体を長手方向に連結する照明器具施工方法が提供される。
【発明の効果】
【０００７】
本発明の照明器具及び照明器具施工方法では、ラインＬＥＤモジュールを用いた場合であっても長手寸法を調整することができ、長手寸法を調整する場合であっても一種類の連結部材で長手方向に連結することができる。
【図面の簡単な説明】
【０００８】
【図１】本発明の照明器具及び照明器具施工方法の一実施形態を示す器具本体の分解斜視図である。
【図２】図１の器具本体に装着されるラインＬＥＤモジュールの斜視図である。
【図３】図１の器具本体の本体部及び端板部材の分解斜視図である。
【図４】図１の器具本体の長手方向端部に取付可能な寸法調整部材の斜視図である。
【図５】図１の器具本体の長手方向端部に取付可能な寸法調整部材の斜視図である。
【図６】図４、図５の寸法調整部材を図１の器具本体の長手方向端部に取付けた状態の斜視図である。
【図７】図１の器具本体を長手方向に連結するための連結部材の斜視図である。
【図８】図７の連結部材による器具本体施工方法の分解斜視図である。
【図９】図７の連結部材による器具本体施工方法の斜視図である。
【図１０】図７の連結部材による器具本体施工方法の斜視図である。
【図１１】図７の連結部材による器具本体施工方法の斜視図である。
【発明を実施するための形態】
【０００９】
以下に示す実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
次に、本発明のバネ部材及び照明器具の一実施形態について図面を参照しながら説明する。図１には、この実施形態のバネ部材及び照明器具の一実施形態を示す器具本体の分解斜視図、図２には、図１の器具本体に装着されるラインＬＥＤモジュールの斜視図を示す。この実施形態の照明器具は、被取付位置である天井位置に取付けられるものであるが、特にラインＬＥＤモジュールＭ自体が天井面とほぼ同一になるように、器具本体１は天井面内部に埋設される。天井面の内部には、周知のように、リップ溝形鋼（Ｃチャンネル）のような横架材が配設されており、この実施形態の器具本体１は、これらの横架材に干渉しないように高さが低く形成されている。
【００１０】
この実施形態の照明器具の器具本体１は、一方向に長手なライン型のＬＥＤモジュールＭを発光体として１本取付けて使用するものである。そのため、器具本体１は、ラインＬＥＤモジュールＭの長手方向に長手である。そして、器具本体１は、下面が開口する下方拡がりのほぼ台形断面の函体であり、この下方開口台形断面函体が器具本体１の本体部１ａを構成し、その下方開口部にラインＬＥＤモジュールＭを装着した状態で照明器具として使用される。この器具本体１の本体部１ａは、金属製板材を折り曲げたりスポット溶接などにより接合・接続したりして形成されている。そして、器具本体１の本体部１ａは、その上面が水平又はほぼ水平になるようにして、図示しないアンカーボルトなどにより天井位置の被取付部位（被取付位置）に取付けられる。なお、この実施形態の本体部１ａは、長手方向両端部が開口しているため、金属製板材からなる補強部材１ｂが上面にネジ５２で取付けられている。
【００１１】
なお、これ以下、本体部１ａの上面が水平又はほぼ水平になるように器具本体１を天井位置に配置した状態で説明するものとして、文中の上下方向は図の上下方向に一致し、器具本体１の長手方向及び器具本体１の幅方向を水平面内の直交二方向の基準とする。また、器具本体１の長手方向は、単に器具本体長手方向、器具本体１の幅方向は、単に器具本体幅方向とも記す。また、ラインＬＥＤモジュールＭについては、前述した特許文献１に詳細に説明されているので、その詳細な説明は省略する。
【００１２】
ラインＬＥＤモジュールＭの上面部（上部）には、図２に示すように、後述するバネ部材と係合し、バネ部材の復元力で器具本体１側に押圧されるバネ受け２が取付けられている。このバネ受け２は、器具本体長手方向両端部又は両端寄りの夫々の部位で且つ器具本体幅方向中央部においてラインＬＥＤモジュールＭの上面に取付けられている。このバネ受け２は、金属製板材を折り曲げたりスポット溶接などにより接合・接続したりして形成されている。このバネ受け２は、本体部が上に凸状で、その凸状本体部の下方が開口しており、凸状本体部の両端部がラインＬＥＤモジュールＭの上面にネジ５３で固定されている。このバネ受け２のうち、器具本体長手方向内側には、凸状本体部を下方に折り曲げて方形の係止片３が形成されている。
【００１３】
一方、器具本体１のバネ受け２に相当する部位、つまり器具本体長手方向両端部又は両端寄りの夫々の部位で且つ器具本体幅方向中央部の上面部（上部）には、バネ固定部材５を介してバネ部材６が取付けられている。このバネ部材６は、夫々、一本のバネ線材を曲げ加工して形成されている。このバネ部材６では、コイル状に形成され、そのコイル軸線方向に離間して配置された二個一対のコイルバネ部７、コイルバネ部７のうちの一方から延出するバネ線材の延出部がバネ受け２の係止片３に係止するように曲げられて形成され、コイルバネ部７の他方に連続するフレーム部８が形成されている。なお、この実施形態では、前述のように器具本体１の本体部１ａを高さ方向に薄くしたため、前述の特許文献１に記載されるものよりも、フレーム部８の長さを短くしている。また、器具本体１の本体部１ａを高さ方向に更に薄くする場合には、フレーム部８を更に短くする必要がある。そして、フレーム部８を短くすることで、ラインＬＥＤモジュールＭの装着・取り外しが容易になる場合がある。
【００１４】
ラインＬＥＤモジュールＭを器具本体１に装着する場合には、器具本体１に取付けられているバネ部材６のフレーム部８に指を掛けてフレーム部８を下方に引き下ろす。その状態で、ラインＬＥＤモジュールＭに取付けられているバネ受け２の係止片３をバネ部材６のフレーム部８に係止する。器具本体長手方向両端部又は両端寄りの夫々のバネ部材６をバネ受け２に係止すると、二つのバネ部材６によってラインＬＥＤモジュールＭが器具本体１から吊り下げられた状態となる。そして、その状態からラインＬＥＤモジュールＭを押し上げると、バネ部材６のコイルバネ部７の復元力によってフレーム部８がバネ受け２を上方に押圧し、ラインＬＥＤモジュールＭが器具本体１に装着される。一方、ラインＬＥＤモジュールＭを取り外すときには、そのラインＬＥＤモジュールＭを手で下方に引き下げ、バネ部材６によるバネ受け２の押圧を解除して行う。
【００１５】
前述したように、ほぼ下方拡がりの台形断面を有する器具本体１の本体部１ａは、図３に示すように、器具本体長手方向端部が開口して長手方向端部開口部４となっている。また、この器具本体１の本体部１ａは、断面台形の脚部下端部が器具本体幅方向両外側に折り曲げられて鍔部９が形成され、その鍔部９の器具本体幅方向外側端部は上方且つ器具本体幅方向内側に折り曲げられて隙間部１０を構成している。また、器具本体１の本体部１ａのうち、断面台形の脚部の器具本体長手方向端部には、後述する端板部材を位置決めするための切欠き部１１及びリベット５５を挿通するためのリベット穴１２が形成されている。更に、器具本体１の本体部１ａのうち、上面部の器具本体長手方向端部には、後述する連結部材の脚部の差し込まれる差し込み穴１３、１４が器具本体長手方向の二箇所に形成されている。この差し込み穴１３、１４は、器具本体長手方向に長手な細長い方形で、器具本体長手方向一箇所あたり、器具本体幅方向に並列な２個一対の差し込み穴１３、１４の組合せからなる。この二箇所の差し込み穴１３、１４は、後述する寸法調整部材による器具本体長手寸法調整代分だけ器具本体長手方向に離して形成されている。なお、二箇所の差し込み穴１３、１４のうち、器具本体長手方向外側の差し込み穴１３を長手方向外側差し込み穴１３、器具本体長手方向内側の差し込み穴１４を長手方向内側差し込み穴１４ともいう。
【００１６】
図３は、器具本体１の本体部１ａの長手方向端部開口部４に取付けられて、その長手方向端部開口部４を閉塞する端板部材１５の斜視図である。この端板部材１５は、例えば樹脂を射出成形して形成されている。この端板部材１５の本体部１５ａは、台形断面である器具本体１の本体部１ａの内部に収納されるようにして長手方向端部開口部４を覆う下方拡がりの台形状であり、その台形本体部１５ａの台形脚部には、器具本体幅方向に突出し且つ器具本体１の本体部１ａの切欠き部１１に嵌合する位置決め突子１６が形成されている。
【００１７】
また、端板部材１５の台形本体部１５ａの台形脚部及び上辺部には、器具本体長手方向に突出して器具本体１の本体部１ａの内部に収納される収納板部１７、１８が形成されている。このうち、端板部材１５の台形本体部１５ａの台形脚部から突設された脚部収納板部１７には、前述したリベット５５が挿通されるリベット穴１９が形成されている。また、端板部材１５の台形本体部１５ａの台形上辺部から突設された上辺部収納板部１８には、前述した長手方向外側差し込み穴１３の位置に、後述する連結部材の脚部との干渉を回避するための凹陥部２０が形成されている。なお、この上辺部収納板部１８の器具本体幅方向両端部には、器具本体１の本体部１ａの長手方向両端部における器具本体幅方向両端部から下方向きに突設された突出爪２１が差し込まれる位置決め穴２２が形成されている。
【００１８】
また、端板部材１５の台形本体部１５ａの器具本体幅方向両端部には、器具本体長手方向に貫通する方形の係合穴２３が形成されている。この係合穴２３は、後述する寸法調整部材の係止爪が挿入されて、係止爪との係合によって寸法調整部材を固定するためのものである。また、端板部材１５の台形本体部１５ａの台形上辺部には、台形本体部１５ａの上縁部を斜めに切欠くようにして、器具本体幅方向両端部の夫々で２個ずつ位置決め凹部２４が形成されている。
【００１９】
この端板部材１５を器具本体１の長手方向端部に取付ける場合には、図３に示すように、台形本体部１５ａから突設された脚部収納板部１７及び上辺部収納板部１８が器具本体１の本体部１ａの内部に収納されるようにして端板部材１５を器具本体１の内部に押し込む。そして、器具本体１の本体部１ａから下方向きに突設された突出爪２１が端板部材１５の上辺部収納板部１８の位置決め穴２２に差し込まれて位置決めされ、端板部材１５の位置決め突子１６が器具本体１の切欠き部１１に嵌合している状態で、器具本体１の本体部１ａのリベット穴１２及び端板部材１５の脚部収納板部１７のリベット穴１９にリベット５５を差し込み、リベット５５の差し込み先端のカシメ部をかしめる。これにより、端板部材１５が器具本体１の長手方向端部に固定され、器具本体１の本体部１ａに形成されている長手方向端部開口部４が端板部材１５によって閉塞される。このようにして端板部材１５が長手方向端部に取付けられて器具本体１の本体部１ａが完成される。
【００２０】
この実施形態では、器具本体１の長手寸法を調整するための寸法調整部材２５を使用することができる。この寸法調整部材２５は、前述の端板部材１５に取付けることで器具本体１の長手方向端部に取付けられる。従って、寸法調整部材２５が器具本体１の長手方向端部に取付けられている状態で、器具本体１の長手寸法を寸法調整部材２５の器具本体長手寸法（規定長さ）だけ大きくすることができる。また、この寸法調整部材２５は、器具本体１の長手方向端部の化粧部材としても使用可能である。
【００２１】
図４、図５は、寸法調整部材２５を異なる方向から見た斜視図である。この寸法調整部材２５も、例えば樹脂を射出成形して形成される。そして、この寸法調整部材２５も、端板部材１５と同様に、台形本体部２５ａを有し、この寸法調整部材２５の台形本体部２５ａを端板部材１５の台形本体部１５ａに重ね合わせるようにして両者を結合する。この寸法調整部材２５の台形本体部２５ａを挟み、端板部材１５と反対側、つまり器具本体１と反対側の下端部には、器具本体１の鍔部９と同じ高さで器具本体長手方向外側に突出する寸法延長板部２６が突設されている。この寸法延長板部２６の器具本体幅方向両端部からは、器具本体１の隙間部１０に収納される差し込み部２７が器具本体１の鍔部９に向けて突設されている。つまり、この寸法延長板部２６の器具本体長手方向寸法が実施的な器具本体長手寸法調整代（＝規定長さ）となる。
【００２２】
一方、寸法調整部材２５の台形本体部２５ａの端板部材１５側、つまり器具本体１側には、端板部材１５の係合穴２３に差し込まれて係合する係止爪２８が器具本体幅方向両端部から突設されている。また、寸法調整部材２５の台形本体部２５ａのうち台形上辺部の器具本体幅方向両端部からは、夫々、器具本体１の本体部１ａ上に被さる被覆板部２９が突設される。また、この被覆板部２９と台形本体部２５ａとの間の隅部には、端板部材１５の位置決め凹部２４に嵌合して両者を位置決めする位置決め凸部３０が形成されている。この寸法調整部材２５を端板部材１５に取付ける場合には、差し込み部２７を器具本体１の隙間部１０に差し込みながら係止爪２８を係合穴２３に差し込む。このとき、寸法調整部材２５の被覆板部２９が器具本体１の本体部１ａの上面部に被さるようにすることで、位置決め凸部３０が位置決め凹部２４に嵌合して位置決めされる。そして、係止爪２８の爪部が端板部材１５の台形本体部１５ａを貫通すると、係止爪２８の爪部が係合穴２３の裏面に係合して寸法調整部材２５が端板部材１５に固定され、これにより寸法調整部材２５が器具本体１の長手方向端部に取付けられる。このようにして器具本体１の長手方向両端部に寸法調整部材２５を取付けた状態が図６である。
【００２３】
この実施形態では、連結部材３１を用いて、２つの器具本体１（照明器具でもある）を長手方向に連結する。図７に、この実施形態の連結部材３１の斜視図を示す。この連結部材３１は、金属製板材を折り曲げたりスポット溶接などにより接合・接続したりして形成されている。この連結部材３１は、器具本体長手方向に合わせて長手な方形本体部３１ａと、その方形本体部３１ａの四隅から下方向きに突設された４つの脚部３２とを備えて構成される。つまり、２つ一対の脚部３２は、連結部材３１の長手方向両端部の夫々に形成されている。そして、４つの脚部３２の夫々は、前述の差し込み穴１３、１４に緊密に嵌入するように、器具本体長手方向に細長い板状で、その突出先端部は先細りで且つ隅部がＲ面取りされている。
【００２４】
この実施形態では、例えば図８に示すように、端板部材１５に寸法調整部材２５が取付けられている場合でも、取付けられていない場合でも、同じ連結部材３１を用いて２つの器具本体１を長手方向に連結することができる。前述した器具本体１の長手方向の２箇所に形成された差し込み穴１３、１４のうち、器具本体長手方向内側に規制されている長手方向内側差し込み穴１４は、図９に示すように、寸法調整部材が取付けられていない状態の端板部材１５同士が接触するように長手方向に並べて配置された２つの器具本体１の上方に連結部材３１を配置して、その連結部材３１の脚部３２が対向する位置で器具本体１の長手方向端部上面部に形成されている。従って、長手方向内側差し込み穴１４に連結部材３１の全ての脚部３２を差し込むと、寸法調整部材が取付けられていない２つの器具本体１を長手方向に連結することができる。
【００２５】
これに対し、長手方向外側差し込み穴１３は、長手方向内側差し込み穴１４に対して、寸法調整部材２５による器具本体長手寸法調整代分だけ、器具本体長手方向外側に形成されている。従って、長手方向外側差し込み穴１３に連結部材３１の全ての脚部３２を差し込むと、図１０に示すように、共に寸法調整部材２５が取付けられている２つの器具本体１を長手方向に連結することができる。また、図１１に示すように、寸法調整部材２５が長手方向端部に取付けられた器具本体１では長手方向外側差し込み穴１３に連結部材３１の脚部３２を差し込み、寸法調整部材が長手方向端部に取付けられていない器具本体１では長手方向内側差し込み穴１４に連結部材３１の脚部３２を差し込むことで、同一の連結部材３１を用いて２つの器具本体１を長手方向に連結することができる。なお、図９のように共に寸法調整部材が取付けられていない場合も、図１０のように共に寸法調整部材２５が取付けられている場合も含めて、寸法調整部材２５が長手方向端部に取付けられた器具本体１では長手方向外側差し込み穴１３に連結部材３１の脚部３２を差し込み、寸法調整部材が長手方向端部に取付けられていない器具本体１では長手方向内側差し込み穴１４に連結部材３１の脚部３２を差し込むことで、同一の連結部材３１を用いて２つの器具本体１を長手方向に連結することができる。
【００２６】
このように、この実施形態の照明器具及び照明器具施工方法では、天井などの被取付位置に取付けられた器具本体１に、同方向に長手なラインＬＥＤモジュールＭを装着して使用する。この器具本体１の長手方向端部には、器具本体１の長手寸法を規定長さだけ大きく調整する寸法調整部材２５を取付けることができる。また、器具本体１の長手方向端部には、寸法調整部材２５による器具本体長手寸法調整分だけ器具本体長手方向に離して器具本体長手方向の二箇所に差し込み穴１３、１４が形成される。そして、連結部材３１の脚部３２を器具本体１の差し込み穴１３、１４に差し込むことで、２つの器具本体１を長手方向に連結する。これにより、寸法調整部材２５が長手方向端部に取付けられた器具本体１では長手方向外側差し込み穴１３に連結部材３１の脚部３２を差し込み、寸法調整部材が長手方向端部に取付けられていない器具本体１では長手方向内側差し込み穴１４に連結部材３１の脚部３２を差し込むことで、同一の連結部材３１を用いて２つの器具本体１を長手方向に連結することが可能となる。
【００２７】
また、差し込み穴１３、１４は、器具本体長手方向一箇所あたり２以上形成したことにより、連結部材３１による２つの器具本体１の連結を堅固なものとすることができる。
また、器具本体１の本体部１ａの長手方向端部開口部４に個別の端板部材１５が取付られて閉塞され、その端板部材１５に寸法調整部材２５が取付けられる。これにより、器具本体１の長手方向端部への寸法調整部材２５の取付けを容易且つ確実なものとすることができる。
【００２８】
また、差し込み穴１３、１４は、端板部材１５同士が接触するように長手方向に並べて配置された２つの器具本体１の上方に連結部材３１を配置して連結部材３１の脚部３２が対向する位置で器具本体１の長手方向端部上面部に形成された器具本体長手方向一箇所の長手方向内側差し込み穴１４と、長手方向内側差し込み穴に対して寸法調整部材２５による器具本体長手寸法調整分だけ器具本体長手方向外側寄りの位置で器具本体１の上面部に形成された器具本体長手方向一箇所の長手方向外側差し込み穴１３とを備える。これにより、寸法調整部材２５が長手方向端部に取付けられた器具本体１では長手方向外側差し込み穴１３に連結部材３１の脚部３２を差し込み、寸法調整部材が長手方向端部に取付けられていない器具本体１では長手方向内側差し込み穴１４に連結部材３１の脚部３２を差し込むことで、同一の連結部材３１を用いて２つの器具本体１を長手方向に連結することができる。
【００２９】
なお、前述の実施形態では、寸法調整部材２５の器具本体長手方向寸法、即ち器具本体長手寸法調整分を一種類としたが、器具本体長手寸法調整分の異なる寸法調整部材２５を複数種としてもよい。そして、その場合には、長手方向内側差し込み穴１４との器具本体長手方向距離が複数種の寸法調整部材２５による器具本体長手寸法調整分となる器具本体長手方向外側寄りの位置で器具本体長手方向の一箇所以上に長手方向外側差し込み穴１３を形成すればよい。この場合、連結部材３１の脚部３２が差し込まれる差し込み穴１３、１４は、器具本体長手方向の二箇所以上に形成されることになる。
【００３０】
また、前述の実施形態では、天井位置に取付けられる照明器具についてのみ説明したが、本発明の照明器具及び照明器具施工方法は、天井以外の被取付位置に取付けられるものにも適用可能である。
本発明がここに記載していない様々な実施の形態等を含むことは勿論である。従って、本発明の技術的範囲は上記の説明から妥当な特許請求の範囲に記載された発明特定事項によってのみ定められるものである。
【符号の説明】
【００３１】
１  器具本体
１ａ  本体部
２  バネ受け
３  係止片
４  長手方向端部開口部
５  バネ固定部材
６  バネ部材
７  コイルバネ部
８  フレーム部
９  鍔部
１０  隙間部
１１  切欠き部
１２  リベット穴
１３  長手方向外側差し込み穴（差し込み穴）
１４  長手方向内側差し込み穴（差し込み穴）
１５  端板部材
１６  位置決め突子
１７  脚部収納板部
１８  上辺部収納板部
１９  リベット穴
２０  凹陥部
２１  突出爪
２２  位置決め穴
２３  係合穴
２４  位置決め凹部
２５  寸法調整部材
２６  寸法延長板部
２７  差し込み部
２８  係止爪
２９  被覆板部
３０  位置決め凸部
３１  連結部材
３２  脚部
５２  ネジ
５３  ネジ
５４  ネジ
５５  リベット
Ｍ  ラインＬＥＤモジュール（発光モジュール）
【図１】
2016219105.tif 000003
【図２】
2016219105.tif 000004
【図３】
2016219105.tif 000005
【図４】
2016219105.tif 000006
【図５】
2016219105.tif 000007
【図６】
2016219105.tif 000008
【図７】
2016219105.tif 000009
【図８】
2016219105.tif 000010
【図９】
2016219105.tif 000011
【図１０】
2016219105.tif 000012
【図１１】
2016219105.tif 000013